(57)【要約】【課題】画像鑑賞に際してその画像に相応しい楽曲を選択すること。【解決手段】楽曲データ記憶部１２は、複数の楽曲データを記憶し、画像データ記憶部１１は、画像データとその撮影日時に関する付加情報とを記憶し、再生履歴作成部２１は、楽曲データが再生される度に楽曲と再生日時とに関する履歴データを作成し、再生回数計数部２４は、履歴データに基づいて画像データの撮影日時を含む所定期間内に再生された複数の楽曲データについて、当該楽曲データ毎の再生回数をカウントし、楽曲選択部２５は、再生回数に基づいて再生表示すべき画像データとともに再生する楽曲データを選択する。【選択図】図２
2014150507.tif 000002
【特許請求の範囲】
【請求項１】
複数の楽曲データを記憶する楽曲記憶手段と、
前記楽曲記憶手段に記憶された楽曲データを再生する音声再生手段と、
撮影された画像データとその撮影日時に関する付加情報とを記憶する画像記憶手段と、
前記画像記憶手段に記憶された画像データに基づく画像を再生表示する画像表示手段と、
前記音声再生手段によって再生された楽曲データとその再生日時とに関する履歴データを作成する再生履歴作成手段と、
前記履歴データに基づいて、前記画像表示手段によって再生表示すべき画像データの撮影日時を含む所定期間内に前記再生日時が含まれる複数の楽曲データについて、当該楽曲データ毎の再生回数を計数する計数手段と、
前記計数手段が計数した再生回数に基づいて、前記再生表示すべき画像データとともに再生する楽曲データを選択する選択手段と、を備えることを特徴とする画像再生装置。
【請求項２】
請求項１に記載の画像再生装置において、
前記選択手段は、前記再生回数が少なくとも最多の楽曲データを選択することを特徴とする画像再生装置。
【請求項３】
請求項２に記載の画像再生装置において、
前記選択手段は、前記再生回数が最多の楽曲データと２番目に多い楽曲データとを選択することを特徴とする画像再生装置。
【請求項４】
請求項１〜３のいずれか１項に記載の画像再生装置において、
前記再生履歴作成手段は、楽曲データが再生される毎に当該楽曲データの演奏時間に対する実際に再生された時間の割合を再生率として前記履歴データに記録し、
前記選択手段は、前記計数手段が計数した前記再生回数と前記再生率とに基づいて、前記再生表示すべき画像データとともに再生する楽曲データを選択することを特徴とする画像再生装置。
【請求項５】
請求項１〜４のいずれか１項に記載の画像再生装置において、
前記画像表示手段の表示モードを切り換えるモード切換え手段を更に備え、
前記モード切換え手段は、複数の画像を順次切り換えて表示するスライドショーモードと、単一の静止画を表示するスチルモードと、動画を表示する動画モードとの間で相互に切換え可能であることを特徴とする画像再生装置。
【請求項６】
複数の楽曲データを記憶する手順と、
前記楽曲データを再生する手順と、
撮影された画像データとその撮影日時に関する付加情報とを記憶する手順と、
前記画像データに基づく画像を再生表示する手順と、
前記再生された楽曲データとその再生日時とに関する履歴データを作成する手順と、
前記履歴データに基づいて、再生表示すべき画像データの撮影日時を含む所定期間内に前記再生日時が含まれる複数の楽曲データについて、当該楽曲データ毎の再生回数を計数する手順と、
前記再生回数に基づいて、前記再生表示すべき画像データとともに再生する楽曲データを選択する手順と、をコンピュータに実行させるための画像再生プログラム。
【発明の詳細な説明】
【技術分野】
【０００１】
本発明は、画像データの再生表示と楽曲データの再生とを行う画像再生装置及び画像再生プログラムに関する。
【背景技術】
【０００２】
撮影された画像データを再生表示する際に、音楽データも同時に再生すると画像の鑑賞が楽しく奥深いものとなる。音楽データの再生日時を再生履歴データとして記録しておき、再生表示しようとする画像データの撮影日時と、再生履歴データに記録されている音楽データの再生日時との差分値が最小となる音楽データを決定して、画像データとともに音声データも再生する再生装置が知られている（例えば、特許文献１参照）。
【先行技術文献】
【特許文献】
【０００３】
【特許文献１】特開２００９−１７６４１６号公報
【発明の概要】
【発明が解決しようとする課題】
【０００４】
ところが、画像データを再生表示する際に、画像データの作成日時と音楽データの再生日時との差分値が最小となる音楽が鑑賞者にとって聞きたいと思っているものとは限らず、必ずしも鑑賞者の好みを反映したものではないという問題がある。
【課題を解決するための手段】
【０００５】
請求項１の発明による画像再生装置は、複数の楽曲データを記憶する楽曲記憶手段と、前記楽曲記憶手段に記憶された楽曲データを再生する音声再生手段と、撮影された画像データとその撮影日時に関する付加情報とを記憶する画像記憶手段と、前記画像記憶手段に記憶された画像データに基づく画像を再生表示する画像表示手段と、前記音声再生手段によって再生された楽曲データとその再生日時とに関する履歴データを作成する再生履歴作成手段と、前記履歴データに基づいて、前記画像表示手段によって再生表示すべき画像データの撮影日時を含む所定期間内に前記再生日時が含まれる複数の楽曲データについて、当該楽曲データ毎の再生回数を計数する計数手段と、前記計数手段が計数した再生回数に基づいて、前記再生表示すべき画像データとともに再生する楽曲データを選択する選択手段と、を備えることを特徴とする。
【発明の効果】
【０００６】
本発明の画像再生装置によれば、画像データの再生表示の際に、鑑賞者が聞きたいと思っている楽曲を正しく選び出すことができる。
【図面の簡単な説明】
【０００７】
【図１】本発明の実施の形態に係る画像再生装置の外観を模式的に示す図である。
【図２】第１の実施の形態に係る画像再生装置の主要部の構成を示すブロック図である。
【図３】第１の実施の形態における再生履歴リストの一例である。
【図４】第２の実施の形態に係る画像再生装置の主要部の構成を示すブロック図である。
【図５】第２の実施の形態における再生履歴リストの一例である。
【発明を実施するための形態】
【０００８】
−第１の実施の形態−
以下、本発明の第１の実施の形態による画像再生装置の構成について、図面を参照しながら説明する。
図１を参照すると、本実施の形態による画像再生装置はデジタルフォトフレーム１であり、その前面に液晶や有機ＥＬを用いたディスプレイ２、スピーカー３、電源スイッチ４、モードスイッチ５を有し、その側面にメモリカード１００用のメモリカードインターフェイス（メモリカードＩＦ）６を有する。
【０００９】
ディスプレイ２は、タッチパネル式の画面を有し、その画面が画像表示領域２ａとコントロールバー表示領域２ｂとに分かれている。画像表示領域２ａでは、静止画や動画を表示し、また、複数枚の静止画を順次表示するスライドショーを行う。コントロールバー表示領域２ｂは、それに表示される各種のボタンをユーザーが操作することによって、画像表示領域２ａに表示された画像を選択したり、画像表示領域２ａに表示される画像の明るさや画質、スピーカー３から流れる音声の音量や音質をコントロールすることが可能である。
【００１０】
モードスイッチ５は、ユーザーが操作することによって画像表示領域２ａの表示モードを切り換える部材である。表示モードには、静止画を手動によって１枚１枚再生表示するスチルモードと、複数枚の静止画を順次自動的に再生するスライドショーモードと、動画を表示する動画モードとがある。また、モードスイッチ５は、楽曲を画像と共に再生する両再生モードと、楽曲のみを再生する楽曲単独再生モードとを切り換える。
【００１１】
静止画は、例えば、ＪＰＥＧ方式の画像ファイルから再生され、動画は、例えば、Ｍotion  ＪＰＥＧ方式やＭＰＥＧ２方式の画像ファイルから再生される。また、音声は、例えば、ＭＰ３形式の音声データから再生される。
【００１２】
図２は、デジタルフォトフレーム１の主要部の構成を示す。デジタルフォトフレーム１は更に制御部２０を有し、制御部２０は、ディスプレイ２、スピーカー３、電源スイッチ４、モードスイッチ５、メモリカードＩＦ６の各ブロックと電気的に接続され、各ブロックとの間で電気信号或いはデータの授受を行うことにより、各種の演算や、不図示のＲＯＭに記憶されているプログラムを実行する。また、制御部２０は、メモリカードＩＦ６を介して装着されるメモリカード１００と、画像データ記憶部１１および楽曲データ記憶部１２との間でデータの転送を指示し、また、そのデータを用いて処理を行う。
【００１３】
メモリカード１００をメモリカードＩＦ６に装着すると、メモリカード１００に記録された画像ファイルは、画像データ記憶部１１に格納される。画像ファイルは、ヘッダと画像データから構成され、ヘッダには画像データに関する各種情報、例えば撮影日時（画像作成日時）や撮影場所が記録されている。
【００１４】
また、メモリカード１００をメモリカードＩＦ６に装着すると、メモリカード１００に記録された楽曲ファイルは、楽曲データ記憶部１２に格納される。楽曲データ記憶部１２は、楽曲データをその曲名、演奏者などの付帯情報とともに記憶する。
なお、画像ファイルは、メモリカード１００からだけではなく、外部のパソコンやサーバーから有線または無線で画像データ記憶部１１へ転送することもできる。楽曲ファイルも同様に、有線または無線の通信媒体を用いて楽曲データ記憶部１２へ転送することができる。
【００１５】
次に、制御部２０が有する再生履歴作成部２１、画像データ選択部２２、撮影日時検出部２３、再生回数計数部２４及び楽曲選択部２５について説明する。
再生履歴作成部２１は、両再生モードまたは楽曲単独再生モードにおいて楽曲データ記憶部１２に記憶された楽曲データが再生されると、その都度、曲名と再生日時を検出し、後述する再生履歴リストを作成する。再生履歴リストは履歴リスト記憶部３０に記録される。
【００１６】
画像データ選択部２２は、ユーザーの操作に従って、メモリカード１００または画像データ記憶部１１に記録された静止画或いは動画の画像データから、スチルモード、スライドショーモードまたは動画モードにおいて再生すべき画像データを選択する。
撮影日時検出部２３は、画像データ記憶部１１に記録された静止画或いは動画の画像ファイルのヘッダに記録されている撮影日時を検出する。
【００１７】
再生回数計数部２４は、再生履歴リストを参照し、所定期間内で同一の曲が何回再生されたか、すなわち曲毎に累計の再生回数をカウントする。そのカウント数は制御部２０の不図示のＲＯＭに記憶される。
【００１８】
ユーザーが再生表示したいと思う画像データをメモリカード１００または画像データ記憶部１１から選択すると、撮影日時検出部２３は、その画像データに対応する撮影日時を読み出す。更に、ユーザーがその撮影日時の近傍の所定期間、例えば撮影日時の前後２日間を設定すると、再生回数計数部２４は、履歴リスト記憶部３０に記録された楽曲データの再生日時を読み出し、再生日時が所定期間に入っている楽曲データを抽出し、楽曲データ毎の再生回数をカウントする。
【００１９】
楽曲選択部２５は、再生回数計数部２４によってカウントされた再生回数が最多の楽曲を再生すべき楽曲として選択する。すなわち、楽曲選択部２５は、撮影日時の近傍の所定期間に再生日時が含まれる楽曲のうち、再生回数が最多の楽曲を選択する。
【００２０】
このように構成されたデジタルフォトフレーム１の動作を説明する。以下の説明において、ユーザーはスライドショーを見ながらスライドショーの画像に相応しい音楽を聴きたいとの場面を設定する。
【００２１】
＜画像の選択＞
スライドショーで再生表示する画像の選択は次のように行われる。
最初に、ユーザーは、複数枚の静止画からなる一連の画像、例えば旅行先の景色や同行の人物を撮影した「○△旅行」の静止画をスライドショーで鑑賞したいと思い、「○△旅行」で撮影した画像ファイルが保存されたメモリカード１００をデジタルフォトフレーム１のメモリカードＩＦ６へ装着する。
【００２２】
ユーザーは、タッチパネル式のコントロールバー表示領域２ｂに表示される各種のボタンを操作してメモリカード１００に保存された画像データを画像表示領域２ａにサムネイル一覧表示させて、これらのサムネイル画像をタッチすると、画像データ選択部２２がそのタッチされたサムネイル画像に対応する画像データを選択する。画像データ選択部２２は、例えば静止画２０枚の画像データを選択し、これらの画像データを画像データ記憶部１１に記憶させる。
【００２３】
また、画像データ記憶部１１から画像データを選択する場合には、画像データ記憶部１１に記憶させた画像データをサムネイル一覧表示し、これらのサムネイル画像をタッチすることで画像を選択してもよい。
【００２４】
＜再生回数のカウント及び楽曲の選択＞
画像データ選択部２２によってスライドショーで再生すべき２０枚の静止画が選択されると、撮影日時検出部２３は、２０枚の静止画ファイルの各ヘッダに記録されている撮影日時を検出し、これらの静止画は、例えば、２０１２年９月１８日、１３:００〜１５：００に撮影されたものであることを検出する。
【００２５】
再生回数計数部２４は、履歴リスト記憶部３０に記録された再生履歴リストを読み出す。再生履歴リストには、過去に再生された楽曲データの曲名、再生日時が多数記録されている。図３（ａ）の再生履歴リスト３１では、第１行から第１２行までについて、曲名、再生日時が記録されている。例えば、第１行のように、曲名「Ａ」と、再生日時が２０１２年９月１５日の１０:２５というデータとが対応付けられて記録されている。
【００２６】
次に、ユーザーは、コントロールバー表示領域２ｂを用いて、選択された画像の撮影日時を基準とした所定期間を設定する。この所定期間は、再生日時がこの所定期間内に存在する楽曲を選択するために使用される。本実施の形態では、２０枚の静止画の撮影日時である２０１２年９月１８日１３：００から同日１５：００の中間の日時、２０１２年９月１８日１４：００の前後２日間を所定期間として設定する。即ち、所定期間は、２０１２年９月１６日１４：００〜同年同月２０日１４：００である。このように、所定期間は、２０枚の静止画の全ての撮影日時を含むように設定される。図３（ａ）を参照すると、この所定期間には、再生履歴リスト３１の第４行から第１１行までの再生日時が含まれている。
【００２７】
なお、選択された複数枚の静止画の撮影日時が大きく離れている場合に、例えば、最も早い撮影日時と最も遅い撮影日時とが数ヶ月も離れている場合には、所定期間を、最も早い撮影日時と最も遅い撮影日時とを基準にして設定することが望ましい。具体的には、所定期間を、最も早い撮影日時よりも数日前の日時から、最も遅い撮影日時よりも数日後の日時までに設定する。
このように、所定期間は、選択された複数の静止画の撮影日時のうち、最も早い撮影日時と最も遅い撮影日時との時間間隔に応じて、その時間間隔を含むように、適宜設定することができる。
【００２８】
再生回数計数部２４は、図３（ａ）の再生履歴リスト３１に基づき、上記の設定された所定期間２０１２年９月１６日１４：００〜同年同月２０日１４：００に再生された楽曲を検出して、楽曲毎にその再生回数を計数する。図３（ａ）の「再生回数（累計）」には、再生回数計数部２４によって検出された楽曲の再生回数が記載されている。
【００２９】
また、楽曲毎の累計の再生回数は、図３（ｂ）に示されるように、楽曲「Ａ」が４回、楽曲「Ｂ」が２回、楽曲「Ｃ」が１回、楽曲「Ｄ」が１回である。
以上の結果から、「○△旅行」の当時、頻繁に再生していた楽曲は「Ａ」であり、次によく再生していた楽曲は「Ｂ」であり、楽曲「Ｃ」、「Ｄ」がこれに続く。従って、楽曲選択部２５は、最多の楽曲「Ａ」を選択する。
【００３０】
＜スライドショーの実行＞
「○△旅行」のスライドショー鑑賞には、楽曲「Ａ」が最も相応しい曲として選ばれたところで、スライドショー実行について説明する。上述のように、スライドショーの対象となる静止画は２０枚であり、ユーザーは、コントロールバー表示領域２ｂを用いて１枚の静止画を表示する時間（表示切替間隔）を設定する。例えば、静止画１枚当りの表示時間を１５秒とすると、スライドショーに要する時間は５分となる。
【００３１】
ユーザーが、コントロールバー表示領域２ｂを用いてスライドショーの開始を指示すると、１枚目の静止画が表示されると同時に、楽曲「Ａ」の再生が始まり、スライドショーの終了までの５分間楽曲「Ａ」の音声がスピーカー３から発せられ、スライドショーの終了に伴い楽曲「Ａ」の再生も終了する。
【００３２】
なお、このような画像切替間隔の設定を行うと、楽曲の演奏時間の途中であっても、スライドショーが終了すると楽曲の音声も途絶えてしまう。これを避けるためには、スライドショーの実行時間を、楽曲「Ａ」の演奏時間の整数倍となるように設定すれば、スライドショーの終了と楽曲の演奏の終了とを一致させることができる。例えば、楽曲の演奏時間が５分であれば、スライドショーの実行時間を５分、１０分、１５分・・・と設定する。このような設定は制御部２０により自動で行い、演奏回数はユーザーが任意に選ぶようにしてもよい。
【００３３】
第１の実施の形態のデジタルフォトフレーム１によれば、次の作用効果を奏する。
（１）再生回数計数部２４が、画像データの撮影日時と、再生履歴リスト３１の各々の楽曲データの再生日時とを比較し、両者の時間差が所定期間以内である楽曲データについて曲名ごとに再生回数をカウントし、楽曲選択部２５が、最多の再生回数の曲を選択するので、再生表示したい画像の撮影日時の頃に頻繁に再生していた楽曲を、画像再生時に再生することができる。
【００３４】
（２）スライドショーの実行時間を、選択された楽曲の演奏時間の整数倍となるように設定することにより、スライドショーの終了と楽曲の演奏の終了とを一致させることができる。
【００３５】
第１の実施の形態の変形例は以下の通りである。
（１）第１の実施の形態では、スライドショー鑑賞の際に聴く楽曲の選択について説明したが、スライドショー鑑賞の場合に限ることなく、手動切換えの静止画鑑賞の場合にも、動画鑑賞の場合にも、上述したような楽曲選択をして画像に最も相応しい曲を抽出することができる。スライドショーモード、スチルモード、動画モードの切換えは、モードスイッチ５（図１、図２参照）を操作することによって行うことができる。なお、スチルモード又は動画モードの場合には、１枚の静止画毎に又は１つの動画毎に再生すべき楽曲を選択する。
【００３６】
（２）第１の実施の形態では、楽曲選択部２５は、撮影日時近傍の所定期間内で再生回数が最多の楽曲を選択するものであったが、最多の楽曲と２番目に多い楽曲を選択するものでもよい。更に、再生回数が多い順に複数の楽曲を選択するものでもよい。このように、複数の楽曲の選択は、多数の画像をスライドショー表示する場合に望ましい。
【００３７】
−第２の実施の形態−
以下、本発明の第２の実施の形態による画像再生装置の構成について、図面を参照しながら説明する。
第１の実施の形態のデジタルフォトフレーム１は、再生履歴作成部２１が、曲名及び再生日時が記録された再生履歴リスト３１（図３参照）を作成し、楽曲選択部２５が、撮影日時近傍の所定期間内で再生回数が最多の楽曲を選択するものであった。
【００３８】
第２の実施の形態のデジタルフォトフレームは、再生履歴作成部２１が曲名及び再生日時に加えて再生率も含む再生履歴リストを作成し、楽曲選択部２５が撮影日時近傍の所定期間内で、再生率を加味した再生回数が最多の楽曲を選択するものである。この相違点以外は、第２の実施の形態のデジタルフォトフレームは、第１の実施の形態のデジタルフォトフレーム１と同じ構成であり同様に機能する。従って、本実施の形態においては相違点を主に説明する。
【００３９】
ここで、再生率とは、１つの楽曲について最初から最後まで再生されたか、或いは楽曲の一部分だけが再生されたかを表す指標である。再生率は、実際に再生された時間とその曲の全演奏時間との比率Ｒ（％）で表すことができるが、本実施の形態では、簡単のために、楽曲が最初から最後までほぼ全部再生された場合の再生率は「全部」、楽曲が一部分だけ再生された場合の再生率は「一部」と２段階で表す。
【００４０】
図４は、第２の実施の形態のデジタルフォトフレーム１Ａの主要部の構成を示す。制御部２０Ａは、再生履歴作成部２１、画像データ選択部２２、撮影日時検出部２３、再生回数計数部２４、楽曲選択部２５及び算出部２６を有する。再生履歴作成部２１は、曲名、再生日時に再生率を加えた再生履歴リストを作成する。再生回数計数部２４は、再生履歴リストを参照し、撮影日時近傍の所定期間内で同一の曲が何回再生されたか、すなわち楽曲毎の再生回数をカウントする。算出部２６は、再生回数計数部２４がカウントした再生回数に再生率を用いて重み付けを行って調整した調整再生回数を算出する。楽曲選択部２５は、調整再生回数が最多の楽曲を再生すべき楽曲として選択する。
【００４１】
このように構成されたデジタルフォトフレーム１Ａの動作を説明する。以下の説明においても、第１の実施の形態と同様、ユーザーはスライドショーの画像に相応しい音楽を聴きたいとの場面を設定する。
【００４２】
ユーザーの選択操作に応じて、画像データ選択部２２が、「○△旅行」で撮影した静止画２０枚を選択すると、撮影日時検出部２３は、２０枚の静止画ファイルの各ヘッダに記録されている撮影日時を検出し、これらの静止画は、２０１２年９月１８日、１３:００〜１５：００に撮影されたものであることを検出する。続いて再生回数計数部２４は、履歴リスト記憶部３０に記録された再生履歴リストを読み出す。
【００４３】
図５（ａ）に示されるように、再生履歴リスト３２には、過去に再生された楽曲の曲名、再生日時及び再生率が第１行から第１２行まで複数記録されている。再生率は、上述したように、楽曲データが最初から最後までほぼ全部再生された場合は「全部」、楽曲データが一部分だけ再生された場合は「一部」と表されている。
【００４４】
第１の実施の形態と同様に、ユーザーが撮影日時の前後２日間を所定期間として設定すると、図５（ａ）に示されるように、この所定期間には再生履歴リスト３２の第４行から第１１行までの再生日時が含まれている。再生回数計数部２４は、第４行から第１１行のデータについて楽曲データ毎に再生回数をカウントする。
再生回数計数部２４によってカウントされた再生回数は、図５（ａ）の再生履歴リスト３２の右側の欄に、再生回数（累計）として示されている。ここまでは、第１の実施の形態の動作と同じである。
【００４５】
本実施の形態においては、算出部２６は、再生回数（累計）に再生率を用いて重み付けを行った調整再生回数を算出する。例えば、算出部２６は、再生率が「全部」の場合は、再生回数に係数１を乗じ、再生率が「一部」の場合は、再生回数に係数０．５を乗じ、これを調整再生回数とする。
【００４６】
楽曲毎の累計の調整再生回数は、図５（ｂ）に示されるように、楽曲「Ａ」が３．５回、楽曲「Ｂ」が２回、楽曲「Ｃ」が１回、楽曲「Ｄ」が０．５回である。調整再生回数は、制御部２０の不図示のＲＯＭに記憶される。以上の結果から、楽曲選択部２５は、調整再生回数が最多の楽曲「Ａ」を再生すべき楽曲として選択する。スライドショーの実行は、第１の実施の形態の場合と同様である。
【００４７】
本実施の形態のデジタルフォトフレーム１Ａによれば、第１の実施の形態の場合と同様の作用効果を奏すると共に、更に、再生回数（累計）に再生率を用いて重み付けを行った調整再生回数を求めてこの調整再生回数が最多の曲を選択するので、より一層楽曲の選択精度が高まる。
【００４８】
本実施の形態では、算出部２６が再生回数に乗じる係数は、再生率が「全部」では係数１、再生率が「一部」では係数０．５であったが、再生率が「一部」の場合は、再生率の大小によって係数を２段階設けてもよいし、再生率に応じて例えば１０％毎に係数を０．１、０．２、・・・、０．９のように細分化してもよい。
【００４９】
第１及び第２の実施の形態では、デジタルフォトフレーム１及び１Ａを用いて説明したが、本発明の画像再生装置は、デジタルフォトフレームに限らず、撮影機能を備えるデジタルカメラにも適用できる。
本発明は、その特徴を損なわない限り、以上説明した実施の形態に何ら限定されるものではない。
【符号の説明】
【００５０】
１、１Ａ：デジタルフォトフレーム    ２：ディスプレイ
３：スピーカー                      ５：モードスイッチ
１１：画像データ記憶部              １２：楽曲データ記憶部
１５：履歴リスト記憶部              ２０、２０Ａ：制御部
２１：再生履歴作成部                ２２：画像データ選択部
２３：撮影日時検出部                ２４：再生回数計数部
２５：楽曲選択部                    ２６：算出部
３０：履歴リスト記憶部
【図１】
2014150507.tif 000003
【図２】
2014150507.tif 000004
【図３】
2014150507.tif 000005
【図４】
2014150507.tif 000006
【図５】
2014150507.tif 000007